(57)【要約】【課題】通水性、軽量性及び耐久性のすべてにおいて従来より優れた雨水貯留浸透構造体を提供する。【解決手段】プラスチックにより一体成形され、２つのフレーム状の外枠２ａの各々の一辺を接合したＬ字状に形成された枠体２と、枠体の各々のフレーム状外枠の中央に矩形状開口部３ａを形成する内枠３と、各々の外枠と各々の内枠との間に配設されたリブ４とで構成されるＬ型の構造部材を内部の側板部材１として用いた雨水貯留浸透構造体２１。  各々の矩形状開口部３ａの面積は、各々の外枠２ａで囲繞された面積の１０％以上５０％以下とすることができる。プラスチックにより一体成形され、フレーム状の外枠と、外枠の中央に矩形状開口部を形成する内枠と、外枠と内枠との間に配設されたリブとで構成されるパネル状の構造部材を内部の側板部材として用いることもできる。【選択図】図１
2013185302.tif 000002
【特許請求の範囲】
【請求項１】
プラスチックにより一体成形され、フレーム状の外枠と、該外枠の中央に矩形状開口部を形成する内枠と、前記外枠と内枠との間に配設されたリブとで構成されるパネル状の構造部材を内部の側板部材として用いたことを特徴とする雨水貯留浸透構造体。
【請求項２】
前記矩形状開口部の面積は、前記外枠で囲繞された面積の１０％以上５０％以下であることを特徴とする請求項１に記載の雨水貯留浸透構造体。
【請求項３】
プラスチックにより一体成形され、２つのフレーム状の外枠の各々の一辺を接合したＬ字状に形成された枠体と、該枠体の各々のフレーム状外枠の中央に矩形状開口部を形成する内枠と、前記各々の外枠と各々の内枠との間に配設されたリブとで構成されるＬ型の構造部材を内部の側板部材として用いたことを特徴とする雨水貯留浸透構造体。
【請求項４】
前記各々の矩形状開口部の面積は、前記各々の外枠で囲繞された面積の１０％以上５０％以下であることを特徴とする請求項３に記載の雨水貯留浸透構造体。
【発明の詳細な説明】
【技術分野】
【０００１】
本発明は、プラスチックにより一体成形されたパネル状又はＬ型の構造部材等を用いた雨水貯留浸透構造体に関する。
【０００２】
雨水貯留浸透構造体は、集水した雨水の貯留空間として地中に構築される雨水貯留構造体と、集水した雨水を地中で一時的に貯留した後、地中に緩やかに排出して分散浸透させる雨水浸透構造体とを含む。この雨水貯留浸透構造体は、雨水の有効利用を図ったり、雨水が河川や地下雨水管路網へ急激に流入することにより発生する都市型浸水災害を防止したり、地下水を涵養して地盤沈下を抑止するために地中に埋設される。
【０００３】
上記構造部材の一例として、特許文献１等に記載の雨水貯留浸透構造体等の側板部材は、図５に示すように、２つのフレーム状の外枠４２、４３の各々の一辺を接合したＬ字状に形成され、これらの外枠４２、４３に配設されたリブ４４、４５と、リブ４４に適宜形成される開口部４６とを備える。
【０００４】
上記構成を有する側板部材４１は、図６に示すように、相対向するように筒状に組み合わされ、組み合わされた２つの側板部材４１によって形成される上下の開口４７、４８を被うように、面板部材５２、５３が突起５２ａ、５３ａを介して側板部材４１の上下に取り付けられ、周囲をシート（不図示）で被覆して雨水貯留浸透構造体５１を構成する。
【先行技術文献】
【特許文献】
【０００５】
【特許文献１】特開２００６−２１４１０３号公報
【発明の概要】
【発明が解決しようとする課題】
【０００６】
上述のような雨水貯留浸透構造体５１は、地中に埋設されるため、大きな土圧が加わると共に、地震等の場合のように大きな振動が加わった場合でも損傷しないような強度や、耐久性を備える必要がある。また、雨水貯留浸透構造体として機能を発揮するために充分な貯留性を有し、設置現場への輸送や、上記耐久性等の確保の観点から軽量であることも要求される。
【０００７】
そこで、本発明は、軽量でかつ耐久性にも優れ、さらに通水性も向上させた雨水貯留浸透構造体を提供することを目的とする。
【課題を解決するための手段】
【０００８】
上記目的を達成するため、本発明は、雨水貯留浸透構造体であって、プラスチックにより一体成形され、フレーム状の外枠と、該外枠の中央に矩形状開口部を形成する内枠と、前記外枠と内枠との間に配設されたリブとで構成されるパネル状の構造部材を内部の側板部材として用いたことを特徴とする。
【０００９】
そして、本発明によれば、外枠の中央に内枠によって矩形状開口部を形成したため、通水性が向上すると共に、軽量化を図ることができる。さらに、耐久性の面でも、外枠の中央に矩形状開口部を有しないものより優れているため、通水性、軽量性及び耐久性のすべてにおいて従来より優れた雨水貯留浸透構造体を提供することができる。
【００１０】
上記雨水貯留浸透構造体を構成するパネル状の構造部材において、前記矩形状開口部の面積を、前記外枠で囲繞された面積の１０％以上５０％以下とすることができる。
【００１１】
また、本発明は、雨水貯留浸透構造体であって、プラスチックにより一体成形され、２つのフレーム状の外枠の各々の一辺を接合したＬ字状に形成された枠体と、該枠体の各々のフレーム状外枠の中央に矩形状開口部を形成する内枠と、前記各々の外枠と各々の内枠との間に配設されたリブとで構成されるＬ型の構造部材を内部の側板部材として用いたことを特徴とする。
【００１２】
本発明によれば、上述のように、通水性、軽量性及び耐久性に優れると共に、構造部材をＬ型に形成することで、パネル状の構造部材を２枚用いる場合に比較して、土木建築構造体の組立作業が容易になり、雨水貯留浸透構造体の設置コストをさらに低減することができる。
【００１３】
上記雨水貯留浸透構造体を構成するＬ型の構造部材において、前記各々の矩形状開口部の面積は、前記各々の外枠で囲繞された面積の１０％以上５０％以下とすることができる。
【発明の効果】
【００１４】
以上のように、本発明によれば、通水性、軽量性及び耐久性のすべてにおいて従来より優れた雨水貯留浸透構造体を提供することができる。
【図面の簡単な説明】
【００１５】
【図１】本発明に係る雨水貯留浸透構造体の内部に配置される側板部材を示す図であって、（ａ）は正面図、（ｂ）は平面図、（ｃ）は側面図である。
【図２】図１の側板部材を示す断面図であって、（ａ）は、図１（ａ）のＡ−Ａ線断面図、（ｂ）は、図１（ａ）のＢ−Ｂ線断面図、（ｃ）は、図１（ａ）のＣ−Ｃ線断面図、（ｄ）は、図１（ａ）のＤ−Ｄ線断面図である。
【図３】図１に示す側板部材を用いた雨水貯留浸透構造体の内部構造を示す分解斜視図である。
【図４】図３に示す内部構造等を用いた雨水貯留浸透構造体を示す分解斜視図である。
【図５】従来の雨水貯留浸透構造体の側板部材の一例を示す概略図である。
【図６】図５に示す側板部材を用いた雨水貯留浸透構造体を示す分解斜視図である。
【発明を実施するための形態】
【００１６】
次に、本発明に係る雨水貯留浸透構造体の一実施の形態について、図面を参照しながら詳細に説明する。
【００１７】
図１は、雨水貯留浸透構造体の内部に配置される側板部材を示し、この側板部材１は、２つのフレーム状の外枠２ａの各々の一辺を接合したＬ字状に形成された枠体２と、枠体２の各々の外枠２ａの中央に矩形状開口部３ａを形成する内枠３と、各々の外枠２ａと各々の内枠３との間に配設されたリブ４とを備える。
【００１８】
枠体２は、２つのフレーム状の外枠２ａの各々の一辺を接合したＬ字状に形成されるため、１つのフレーム状の外枠からなる、独立したパネル状に形成する場合よりも、強度に優れると共に、この枠体２を用いた雨水貯留浸透構造体の組立作業が容易となる。
【００１９】
内枠３は、枠体２の各々のフレーム状外枠２ａの中央に矩形状開口部３ａを形成し、この矩形状開口部３ａの面積は、前記外枠２ａで囲繞された面積の１０％以上５０％以下に設定される。この矩形状開口部３ａを設けたことが、本発明の特徴部分であって、この矩形状開口部３ａを有する枠体２を用いた雨水貯留浸透構造体は、矩形状開口部３ａが存在しない枠体を用いた雨水貯留浸透構造体よりも、軽量で通水に優れるだけでなく、後述のように耐久性にも優れる。
【００２０】
リブ４は、側板部材１の強度を向上させるため、各々の外枠２ａと各々の内枠３との間に配設され、図２（ａ）、（ｂ）に示すように、矩形状開口部３ａを除いて水平方向に連続して形成されると共に、図２（ｃ）及び（ｄ）に示すように、矩形状開口部３ａを除いて鉛直方向に複数段にわたって形成される。尚、図２（ｂ）に明示するように、リブ４の矩形状開口部３ａに面する端部は、内枠３を兼ねている。リブ４には、通水性を考慮して開口部５が適宜穿設される。
【００２１】
上記側板部材１は、プラスチック材料によって一体成形され、この際再生プラスチック材料を用いることもできる。
【００２２】
上記構成を有する側板部材１は、図３に示すように、相対向するように筒状に組み合わされ、この２つの側板部材１によって形成される上下の開口７、８を被うように、面板部材１２、１３が突起１２ａ、１３ａを介して側板部材１の上下に取り付けられ雨水貯留浸透構造体の内部組立体１１を構成する。
【００２３】
次に、上記内部組立体１１、面板部材１２、１３を用いて構成した雨水貯留浸透構造体２１について、図４を参照しながら説明する。
【００２４】
図３に示した面板部材１３を複数枚組み合わせ、上下板２２、２６として雨水貯留浸透構造体２１の天井面及び底面を構成する。また、図３に示した面板部材１２を複数枚組み合わせて中間板２４を構成する。
【００２５】
上下板２２と中間板２４との間、及び上下板２６と中間板２４との間に、図３に示した内部組立体１１を複数構成すると共に、開口部の存在しない側板１４を用いて本体２３、２５を形成し、上下板２２〜上下板２６を組み合わせ、周囲をシート（不図示）で被覆して雨水貯留浸透構造体２１が構成される。
【００２６】
この雨水貯留浸透構造体２１によれば、側板部材１に矩形状開口部３ａを形成したため、雨水貯留浸透構造体２１の内部に雨水等が流れる流路が形成され、通水性が格段に向上すると共に、矩形状開口部３ａを形成した分だけ軽量化を図ることができる。さらに、耐久性の面でも、後述するように、図５に示した矩形状開口部を有しない従来の側板部材２４１を用いた雨水貯留浸透構造体より優れ、通水性、軽量性及び耐久性のすべてにおいて従来より優れた雨水貯留浸透構造体を提供することができる。
【００２７】
次に、上記構成を有する本発明に係る側板部材１と、図５及び図６に示す側板部材４１等を用いた従来の雨水貯留浸透構造体の試験例について説明する。
【００２８】
地下埋設型の雨水貯留浸透構造体では、地震時の繰り返し荷重に対して構造体を構成する部材の耐力及び変形性能が要求される。これらを確認するため、正負交番載荷試験によって、図１及び図２に示した側板部材１を用いた構造体（実施例）と、図５に示した側板部材４１を用いた構造体（比較例）とを比較した。試験結果を表１に示す。同表に示すように、最大せん断応力及び最大せん断ひずみ共に大幅に向上したことが判る。
【００２９】
【表１】
2013185302.tif 000003
【００３０】
通水性は、側板部材１及び側板部材４１の開口面積から比較した。表２に示すように、通水性は、従来に比較して１６倍も向上していることが判る。
【００３１】
【表２】
2013185302.tif 000004
【００３２】
軽量性は、側板部材１及び側板部材４１の質量から比較した。表３に示すように、本発明に係る側板部材１は、従来の側板部材４１に比較して１７％も質量が減少している。
【００３３】
【表３】
2013185302.tif 000005
【００３４】
尚、上記実施の形態においては、２つのフレーム状の外枠２ａの各々の一辺を接合したＬ字状に形成された枠体２を備える側板部材１について説明したが、２つのフレーム状の外枠２ａを接合面で切り離して独立したフレームとし、フレーム状の外枠と、該外枠の中央に矩形状開口部を形成する内枠と、前記外枠と内枠との間に配設されたリブとを備え、これらをパネル状に一体成形することで、通水性、軽量性及び耐久性のすべてにおいて従来より優れる構造部材を提供することもできる。
【符号の説明】
【００３５】
１  側板部材
２  枠体
２ａ  外枠
３  内枠
３ａ  矩形状開口部
４  リブ
５  開口部
７、８  開口
１１  内部組立体
１２、１３  面板部材
１２ａ、１３ａ  突起
２１  雨水貯留浸透構造体
２２  上下板
２３  本体
２４  中間板
２５  本体
２６  上下板
【図１】
2013185302.tif 000006
【図２】
2013185302.tif 000007
【図３】
2013185302.tif 000008
【図４】
2013185302.tif 000009
【図５】
2013185302.tif 000010
【図６】
2013185302.tif 000011